(57)【要約】【課題】到着地の拠点で手間をかけることなく、出発地の拠点で出金された釣銭準備金を正確に入力し、正確な売上金を算出すること。【解決手段】釣銭準備金の出金処理を行う第一現金処理機１ａと、第一現金処理機１ａに対して遠隔地に配置され、入金処理を行う第二現金処理機１ｂと、第一現金処理機１ａで釣銭準備金の出金処理を行う際に、出金処理を行った者を特定する出金者特定情報と、当該出金者特定情報に関連付けられた釣銭準備金の金額情報とを記憶する記憶部６０ｉと、を備えている。第二現金処理機１ｂは、記憶部６０ｉに記憶された出金者特定情報に基づいて、当該出金者特定情報に関連付けられた釣銭準備金の金額情報を特定して入金処理を行う。【選択図】図１
2010160625.tif 000002
【特許請求の範囲】
【請求項１】
釣銭準備金の出金処理を行う第一現金処理機と、
前記第一現金処理機に対して遠隔地に配置され、入金処理を行う第二現金処理機と、
前記第一現金処理機で釣銭準備金の出金処理を行う際に、出金処理を行った者を特定する出金者特定情報と、該出金者特定情報に関連付けられた釣銭準備金の金額情報とを記憶する記憶部と、を備え、
前記第二現金処理機は、前記記憶部に記憶された前記出金者特定情報と、該出金者特定情報に関連付けられた釣銭準備金の金額情報を特定して入金処理を行うことを特徴とする売上精算システム。
【請求項２】
前記記憶部は、ＩＣカードのＩＣチップに設けられ
前記第一現金処理機は、前記ＩＣチップに、前記出金者特定情報と前記金額情報を書き込む書込部を有し、
前記第二現金処理機は、前記ＩＣチップから、前記出金者特定情報と前記金額情報を読み出す読出部を有することを特徴とする請求項１に記載の売上精算システム。
【請求項３】
前記第一現金処理機から前記出金者特定情報と前記金額情報を受信するとともに、前記第二現金処理機に該第一現金処理機から受信した該出金者特定情報と該金額情報を送信するサーバをさらに備え、
前記記憶部は、前記サーバに設けられていることを特徴とする請求項１に記載の売上精算システム。
【請求項４】
前記第一現金処理機は、前記出金者特定情報と前記金額情報を示すバーコード情報を紙媒体に印刷するバーコード印刷部を有し、
前記第二現金処理機は、前記紙媒体に印刷されたバーコード情報から、前記出金者特定情報と前記金額情報を読み出すバーコード読取部を有し、
バーコード情報の印字された紙媒体が、前記記憶部を構成することを特徴とする請求項１に記載の売上精算システム。
【請求項５】
前記第二現金処理機は、入金された貨幣の合計金額から前記第一現金処理機から出金された釣銭準備金の金額を引くことによって仮売上金の金額を算出する算出部を有することを特徴とする請求項１乃至４のいずれか１項に記載の売上精算システム。
【請求項６】
販売商品を登録するとともに、該販売商品に対応する価格を特定する携帯端末をさらに備え、
前記第二現金処理機は、前記携帯端末から販売商品の価格に関する情報を受け取って売上金の合計金額を特定する売上金特定部と、該売上金特定部で特定された売上金の合計金額と前記算出部で算出された仮売上金の金額とを照合する照合部と、を有することを特徴とする請求項５に記載の売上精算システム。
【請求項７】
前記第一現金処理機は、出金者特定情報毎に該第一現金処理機から出金された釣銭準備金と同額以上の金額が前記第二現金処理機に入金されたかを確認する入金確認部を有し、該入金確認部で釣銭準備金と同額以上の金額が前記第二現金処理機に入金されたことが確認されたときにだけ、当該出金者特定情報に対応する出金者に対して釣銭準備金が出金可能になることを特徴とする請求項１乃至６のいずれか１項に記載の売上精算システム。
【請求項８】
前記第二現金処理機は、釣銭準備金の出金処理を行い、
前記記憶部は、前記第二現金処理機で釣銭準備金の出金処理を行う際に、出金処理を行った者を特定する出金者特定情報と、該出金者特定情報に関連付けられた釣銭準備金の金額情報とを記憶し、
前記第一現金処理機は、前記記憶部に記憶された前記出金者特定情報と、該出金者特定情報に関連付けられた釣銭準備金の金額情報を特定して入金処理を行うことを特徴とする請求項１に記載の売上精算システム。
【発明の詳細な説明】
【技術分野】
【０００１】
本発明は、釣銭準備金の出金処理を行う第一現金処理機と、売上金の入金処理を行う第二現金処理機とを備えた売上精算システムに関する。
【背景技術】
【０００２】
新幹線など特急電車の車内販売や飛行機の機内販売などでは、予め釣銭準備金を準備する必要があるため、出発地の拠点で、釣銭準備装置（例えば、特許文献１参照）から釣銭準備金を出金するとともに、出金した金額をレシートなどの紙媒体に記載していた。そして、到着地の拠点で、売上金入金装置（例えば、特許文献１参照）に釣銭準備金と運航中に発生した売上金をまとめて入金し、まとめて入金した金額から紙媒体に記載された出金した金額を差し引いて売上金を確定する処理を行っていた。
【特許文献１】特許第３４９６９０２号
【発明の開示】
【発明が解決しようとする課題】
【０００３】
しかしながら、従来の方法では、作業者が売上金入金装置で釣銭金額を手入力する手間が必要になっており、余分な作業が発生してしまっている。また、作業者が、売上金入金装置で釣銭金額を手入力するときに入力ミスが発生し、正確な売上金を算出することができないおそれもある。
【０００４】
本発明は、このような点を考慮してなされたものであり、到着地の拠点で手間をかけることなく、出発地の拠点で出金された釣銭準備金を正確に入力し、正確な売上金を算出することができる売上精算システムを提供することを目的とする。
【課題を解決するための手段】
【０００５】
本発明による売上精算システムは、
釣銭準備金の出金処理を行う第一現金処理機と、
前記第一現金処理機に対して遠隔地に配置され、入金処理を行う第二現金処理機と、
前記第一現金処理機で釣銭準備金の出金処理を行う際に、出金処理を行った者を特定する出金者特定情報と、該出金者特定情報に関連付けられた釣銭準備金の金額情報とを記憶する記憶部と、を備え、
前記第二現金処理機が、前記記憶部に記憶された前記出金者特定情報と、該出金者特定情報に関連付けられた釣銭準備金の金額情報を特定して入金処理を行う。
【０００６】
本発明による売上精算システムにおいて、
前記記憶部は、ＩＣカードのＩＣチップに設けられ
前記第一現金処理機は、前記ＩＣチップに、前記出金者特定情報と前記金額情報を書き込む書込部を有し、
前記第二現金処理機は、前記ＩＣチップから、前記出金者特定情報と前記金額情報を読み出す読出部を有することが好ましい。
【０００７】
本発明による売上精算システムにおいて、
前記第一現金処理機から前記出金者特定情報と前記金額情報を受信するとともに、前記第二現金処理機に該第一現金処理機から受信した該出金者特定情報と該金額情報を送信するサーバをさらに備え、
前記記憶部は、前記サーバに設けられていることが好ましい。
【０００８】
本発明による売上精算システムにおいて、
前記第一現金処理機は、前記出金者特定情報と前記金額情報を示すバーコード情報を紙媒体に印刷するバーコード印刷部を有し、
前記第二現金処理機は、前記紙媒体に印刷されたバーコード情報から、前記出金者特定情報と前記金額情報を読み出すバーコード読取部を有し、
バーコード情報の印字された紙媒体が、前記記憶部を構成することが好ましい。
【０００９】
本発明による売上精算システムにおいて、
前記第二現金処理機は、入金された貨幣の合計金額から前記第一現金処理機から出金された釣銭準備金の金額を引くことによって仮売上金の金額を算出する算出部を有することが好ましい。
【００１０】
このような売上精算システムにおいて、
販売商品を登録するとともに、該販売商品に対応する価格を特定する携帯端末をさらに備え、
前記第二現金処理機は、前記携帯端末から販売商品の価格に関する情報を受け取って売上金の合計金額を特定する売上金特定部と、該売上金特定部で特定された売上金の合計金額と前記算出部で算出された仮売上金の金額とを照合する照合部と、を有することが好ましい。
【００１１】
本発明による売上精算システムにおいて、
前記第一現金処理機は、出金者特定情報毎に該第一現金処理機から出金された釣銭準備金と同額以上の金額が前記第二現金処理機に入金されたかを確認する入金確認部を有し、該入金確認部で釣銭準備金と同額以上の金額が前記第二現金処理機に入金されたことが確認されたときにだけ、当該出金者特定情報に対応する出金者に対して釣銭準備金が出金可能になることが好ましい。
【００１２】
本発明による売上精算システムにおいて、
前記第二現金処理機は、釣銭準備金の出金処理を行い、
前記記憶部は、前記第二現金処理機で釣銭準備金の出金処理を行う際に、出金処理を行った者を特定する出金者特定情報と、該出金者特定情報に関連付けられた釣銭準備金の金額情報とを記憶し、
前記第一現金処理機は、前記記憶部に記憶された前記出金者特定情報と、該出金者特定情報に関連付けられた釣銭準備金の金額情報を特定して入金処理を行うことが好ましい。
【発明の効果】
【００１３】
本発明によれば、第二現金処理機が、釣銭準備金の金額情報を特定して入金処理を行うので、出発地の拠点で出金された釣銭準備金を正確に入力し、正確な売上金を算出することができる。
【００１４】
また、記憶部に記憶された出金者特定情報と、該出金者特定情報に関連付けられた釣銭準備金の金額情報を特定して入金処理を行うので、出金者毎の売り上げを確実に管理することができ、かつ、不正を抑止することができる。
【発明を実施するための形態】
【００１５】
第１の実施の形態
以下、本発明に係る売上精算システムの第１の実施の形態について、図面を参照して説明する。ここで、図１乃至図４は本発明の第１の実施の形態を示す図である。なお、本願において、貨幣とは、硬貨または紙幣を意味している。
【００１６】
図１に示すように、売上精算システムは、釣銭準備金の出金処理を行う第一現金処理機１ａと、第一現金処理機１ａに対して遠隔地に配置され、入金処理を行う第二現金処理機１ｂと、を備えている。なお、本実施の形態では、第一現金処理機１ａは、釣銭準備金の出金処理だけでなく入金処理も行うことができるように構成され、他方、第二現金処理機１ｂは、入金処理だけでなく釣銭準備金の出金処理も行うことができるように構成されている。
【００１７】
ここで、第二現金処理機１ｂが、第一現金処理機１ａに対して遠隔地に配置されているとは、例えば、第一現金処理機１ａが東京に配置され第二現金処理機１ｂが大阪に配置されているような場合を意味し、第一現金処理機１ａと第二現金処理機１ｂとの間を移動するには、新幹線９０、飛行機、特急電車などの交通手段を用いて移動する必要がある場合のことを意味している。なお、本実施の形態では、交通手段として新幹線９０を用いた態様で説明するが、これに限られることはない。
【００１８】
また、図１に示すように、第一現金処理機１ａは、硬貨の入出金処理を行う第一硬貨処理装置１０ａと、紙幣の入出金処理を行う第一紙幣処理装置２０ａと、これら第一硬貨処理装置１０ａおよび第一紙幣処理装置２０ａを制御する第一ターミナル３０ａと、を有している。他方、第二現金処理機１ｂは、硬貨の入出金処理を行う第二硬貨処理装置１０ｂと、紙幣の入出金処理を行う第二紙幣処理装置２０ｂと、これら第二硬貨処理装置１０ｂおよび第二紙幣処理装置２０ｂを制御する第二ターミナル３０ｂと、を有している。
【００１９】
また、図１に示すように、売上精算システムは、ＩＣチップ６０ｉを有する（社員証などの）ＩＣカード６０と、販売商品を登録するとともに、販売商品に対応する価格を特定する（ハンディ端末などの）携帯端末５５とをさらに備えている。そして、ＩＣカード６０のＩＣチップ６０ｉが、第一現金処理機１ａ（または第二現金処理機１ｂ）で釣銭準備金の出金処理を行う際に、出金処理を行った者を特定する出金者特定情報と、この出金者特定情報に関連付けられた釣銭準備金の金額情報とを記憶する記憶部を構成している。
【００２０】
また、図１に示すように、第一現金処理機１ａは、ＩＣチップ６０ｉに、出金者特定情報と金額情報を書き込むことができ、かつ、ＩＣチップ６０ｉから、出金者特定情報と金額情報を読み出すことができる第一書込読出部（書込部および読出部）３１ａを有している。また、第二現金処理機１ｂも、同様に、ＩＣチップ６０ｉに、出金者特定情報と金額情報を書き込むことができ、かつ、ＩＣチップ６０ｉから、出金者特定情報と金額情報を読み出すことができる第二書込読出部（書込部および読出部）３１ｂを有している。
【００２１】
なお、第一書込読出部３１ａと第二書込読出部３１ｂの各々は、上述のような出金者特定情報と釣銭準備金の金額情報の他に、出発拠点に関する出発拠点情報（例えば、東京、大阪、名古屋など）や、釣銭準備金が出金された現金処理機識別情報（例えば、１号機、２号機など）や、釣銭準備金が出金された日時情報（例えば、２００８年１２月１日、９：３０など）や、乗車予定の列車名（例えば、のぞみ１７７号など、航空機の場合にはフライトナンバー）を識別する乗車予定情報をＩＣチップ６０ｉに記憶させてもよい。
【００２２】
また、図２に示すように、第二現金処理機１ｂは、第一書込読出部３１ａによってＩＣチップ（記憶部）６０ｉに記憶された出金者特定情報と当該出金者特定情報に関連付けられた釣銭準備金の金額情報を特定する第二出金者釣銭準備金特定部４０ｂを有している。また、第一現金処理機１ａも、同様に、第二書込読出部３１ｂによってＩＣチップ（記憶部）６０ｉに記憶された出金者特定情報と当該出金者特定情報に関連付けられた釣銭準備金の金額情報を特定する第一出金者釣銭準備金特定部４０ａを有している。なお、図２中の２点鎖線はターミナル３０ａ，３０ｂを示している。
【００２３】
また、図２に示すように、第二現金処理機１ｂの第二ターミナル３０ｂは、入金された貨幣の合計金額から第一現金処理機１ａから出金された釣銭準備金の金額を引くことによって仮売上金の金額を算出する第二算出部４１ｂと、第二携帯端末情報受信部（図示せず）を介して携帯端末５５から販売商品の価格に関する情報（例えば、販売商品の合計金額）を受け取って売上金の合計金額を特定する第二売上金特定部４５ｂと、この第二売上金特定部４５ｂで特定された売上金の合計金額と第二算出部４１ｂで算出された仮売上金の金額とを照合する第二照合部４９ｂと、を有している。
【００２４】
また、図２に示すように、第一現金処理機１ａの第一ターミナル３０ａも、同様に、入金された貨幣の合計金額から第二現金処理機１ｂから出金された釣銭準備金の金額を引くことによって仮売上金の金額を算出する第一算出部４１ａと、第一携帯端末情報受信部（図示せず）を介して携帯端末５５から販売商品の価格に関する情報（例えば、販売商品の合計金額）を受け取って売上金の合計金額を特定する第一売上金特定部４５ａと、この第一売上金特定部４５ａで特定された売上金の合計金額と第一算出部４１ａで算出された仮売上金の金額とを照合する第一照合部４９ａと、を有している。
【００２５】
また、図２に示すように、第一出金者釣銭準備金特定部４０ａは、第一書込読出部３１ａ、第一硬貨処理装置１０ａ、第一紙幣処理装置２０ａおよび第一算出部４１ａに電気的に接続されている。また、第一算出部４１ａは、第一硬貨処理装置１０ａ、第一紙幣処理装置２０ａおよび第一照合部４９ａに電気的に接続されている。また、第一照合部４９ａは、第一売上金特定部４５ａおよび第一表示部３６ａに電気的に接続されている。
【００２６】
また、同様に、第二出金者釣銭準備金特定部４０ｂは、第二書込読出部３１ｂ、第二硬貨処理装置１０ｂ、第二紙幣処理装置２０ｂおよび第二算出部４１ｂに電気的に接続されている。また、第二算出部４１ｂは、第二硬貨処理装置１０ｂ、第二紙幣処理装置２０ｂおよび第二照合部４９ｂに電気的に接続されている。また、第二照合部４９ｂは、第二売上金特定部４５ｂおよび第二表示部３６ｂに電気的に接続されている。
【００２７】
ところで、図２は、本実施の形態による売上精算システムのターミナル３０ａ，３０ｂの構成を示す概略図示しているが、図面を簡略化するため、外部装置（硬貨処理装置１０ａ，１０ｂ、紙幣処理装置２０ａ，２０ｂなど）と送受信をする際に用いられるインターフェース部などは図示していない。
【００２８】
次に、このような構成からなる本実施の形態の作用について述べる。
【００２９】
まず、販売員が、ＩＣチップ６０ｉを有するＩＣカード６０を第一書込読出部３１ａに読み取らせる。このことのよって、出金者が特定されるとともに、第一硬貨処理装置１０ａおよび第一紙幣処理装置２０ａで釣銭準備金を出金することができる状態となる（図１参照）。
【００３０】
次に、販売員が、第一硬貨処理装置１０ａから金種別に所定の枚数の硬貨を出金するとともに、第一紙幣処理装置２０ａから金種別に所定の枚数の紙幣を出金することで、釣銭準備金を準備する（図１参照）。このとき、第一出金者釣銭準備金特定部４０ａから第一硬貨処理装置１０ａに出金される硬貨の金種別の枚数に関する情報が送信され、同様に、第一出金者釣銭準備金特定部４０ａから第一紙幣処理装置２０ａに出金される紙幣の金種別の枚数に関する情報が送信される。そして、第一硬貨処理装置１０ａから第一出金者釣銭準備金特定部４０ａに実際に硬貨が出金された旨が送信され、同様に、第一紙幣処理装置２０ａから第一出金者釣銭準備金特定部４０ａに実際に紙幣が出金された旨が送信される（図３の（１）ａ１参照）。なお、出金される貨幣の枚数は、販売員が指定してもよいし、出発拠点、出発日時、乗車予定の列車名（航空機の場合にはフライトナンバー）などに基づいて、第一出金者釣銭準備金特定部４０ａが自動的に決定してもよい。この場合には、第一硬貨処理装置１０ａと第一紙幣処理装置２０ａから第一出金者釣銭準備金特定部４０ａへ情報が送られるのではなく、逆に、第一出金者釣銭準備金特定部４０ａから第一硬貨処理装置１０ａと第一紙幣処理装置２０ａへ情報が送られることとなる。
【００３１】
次に、第一書込読出部３１ａは、ＩＣカード６０のＩＣチップ６０ｉに、出金者特定情報（販売員の社員番号、氏名など）に関連付けられた釣銭準備金の金額情報を書き込んで記憶させる（図１参照）。ここで、釣銭準備金の金額情報としては、出金された釣銭準備金の合計金額が含まれることが必要であるが、その他、金種別の枚数なども含まれてよい。なお、第一書込読出部３１ａでＩＣチップ６０ｉに書き込まれる釣銭準備金の金額情報は、第一出金者釣銭準備金特定部４０ａから送られる（図３の（２）ａ２参照）。
【００３２】
次に、販売員は、乗車予定の新幹線９０に（例えば、東京で）乗り込み、当該新幹線９０内で商品を販売する（図１参照）。そして、販売員は、商品が売れるごとに、携帯端末５５を用いて、売れた販売商品を登録するとともに、販売商品に対応する価格を特定する。このようにして携帯端末５５で登録された販売商品の価格は、携帯端末５５によって記憶される。
【００３３】
降車予定地（例えば、大阪）に到着すると、販売員は新幹線９０から降車し、第二現金処理機１ｂの下へ向かう。そして、販売員は、ＩＣカード６０を第二書込読出部３１ｂに読み取られせた後で（このようにＩＣカード６０を読み取らせることによって始めて第二現金処理機１ｂへの入金処理が可能となる）、第二現金処理機１ｂ内に、売上金と釣銭準備金とからなる全ての貨幣を入金する（図１参照）。なお、このように第二現金処理機１ｂへの入金処理が可能となると、第二出金者釣銭準備金特定部４０ｂから第二硬貨処理装置１０ｂと第二紙幣処理装置２０ｂに入金処理を行う旨の指示が送られる。
【００３４】
このとき、第二書込読出部３１ｂは、ＩＣチップ６０ｉから、出金者特定情報と第一書込読出部３１ａで書き込まれた金額情報を読み出して、第二出金者釣銭準備金特定部４０ｂに送信する（図４の（１）ｂ１参照）。そして、第二出金者釣銭準備金特定部４０ｂは、出金者特定情報と、当該出金者特定情報に関連付けられた釣銭準備金の金額情報を特定し、第二算出部４１ｂへ送信する（図４の（２）ｂ２参照）。
【００３５】
他方、第二硬貨処理装置１０ｂから第二算出部４１ｂへ入金された硬貨の金種別の枚数に関する情報が送信され、同様に、第二紙幣処理装置２０ｂから第二算出部４１ｂへ入金された紙幣の金種別の枚数に関する情報が送信される（図４の（３）ｂ３参照）。
【００３６】
次に、第二算出部４１ｂが、入金された貨幣の合計金額（売上金と余った釣銭準備金の合計金額）Ｘから、第二出金者釣銭準備金特定部４０ｂで特定された第一現金処理機１ａから出金された釣銭準備金の金額Ｙを引くことによって仮売上金の金額（Ｘ−Ｙ）を算出する。他方、第二売上金特定部４５ｂが、携帯端末５５から販売商品の価格に関する情報（例えば、販売商品の合計金額）を受け取り（図４の（４）ｂ４参照）、売上金の合計金額Ｚを特定する。その後、第二照合部４９ｂが、第二売上金特定部４５ｂから売上金の合計金額Ｚを受け取るとともに（図４の（５）ｂ５参照）、第二算出部４１ｂから仮売上金の金額（Ｘ−Ｙ）を受け取り（図４の（６）ｂ６参照）、売上金の合計金額Ｚと仮売上金の金額（Ｘ−Ｙ）とを照合する（Ｘ−Ｙ＝Ｚとなっているかを照合する）。
【００３７】
ここで、第二売上金特定部４５ｂで特定された売上金の合計金額Ｚと第二算出部４１ｂで算出された仮売上金の金額（Ｘ−Ｙ）が等しくなっている（Ｘ−Ｙ＝Ｚとなっている）場合には、第二現金処理機１ｂでの処理が終了する。他方、第二売上金特定部４５ｂで特定された売上金の合計金額Ｚと第二算出部４１ｂで算出された仮売上金の金額（Ｘ−Ｙ）が等しくなっていない（Ｘ−Ｙ≠Ｚとなっている）場合には、その旨が第二表示部３６ｂに送られ（図４の（７）ｂ７参照）、当該第二表示部３６ｂでその旨が表示される。このため、販売員などの作業員は、不具合があることを容易に認識することができる。
【００３８】
上述のように、本実施の形態によれば、出金者特定情報に関連付けて釣銭準備金の金額情報を特定することができるので、出金者毎の売り上げを確実に管理することができ、かつ、不正を抑止することができる。
【００３９】
すなわち、釣銭準備金を出金した出金者は、自己の出金者特定情報に基づいて第二現金処理機１ｂでの入金処理をしなければ自己の売り上げを確定することができないので（例えば、他人のＩＣカード６０を盗んで当該ＩＣカード６０で入金処理を行っても、盗まれた者の売り上げとなってしまい、自己の売り上げにはならないので）、出金者毎の売り上げを確実に管理することができるし、他人のＩＣカード６０を盗むといった不正を抑止することもできる。
【００４０】
また、ＩＣカード６０を第二書込読取部で読み取らせるだけで、釣銭準備金の金額情報が特定されるので、売上金と釣銭準備金とからなる全ての貨幣を入金するだけで、到着地の拠点で手間をかけることなく出発地の拠点で出金された釣銭準備金を正確に入力させることができる。
【００４１】
また、本実施の形態によれば、第二照合部４９ｂが、第二売上金特定部４５ｂで特定された売上金の合計金額Ｚと第二算出部４１ｂで算出された仮売上金の金額（Ｘ−Ｙ）とを照合するので、正確な売上金を第二現金処理機１ｂに入金させることができ、販売員のミスや不正によって、実際の売上金の金額と、売上金として入金される金額とが相違することを防止することができる。
【００４２】
さらに、本実施の形態によれば、社員証などのＩＣカード６０のＩＣチップ６０ｉに、出金者特定情報と釣銭準備金の金額情報が記憶されるので、出金した金額を記載したレシートなどの紙媒体を携帯して管理する必要がなく、便利である。この点、新たにＩＣカード６０を携帯する必要があるように思えるが、本実施の形態に用いられるＩＣカード６０は社員証などであり、従来から販売員が携帯しているものである。このため、新たなＩＣカード６０を携帯するというような問題は生じない。
【００４３】
なお、本実施の形態では、第二現金処理機１ｂが、上述した第一現金処理機１ａと同じ機能を果たし、かつ、第一現金処理機１ａが、上述した第二現金処理機１ｂと同じ機能を果たすことができる。このため、例えば大阪から東京へ向かう際に、販売員は、大阪にある第二現金処理機１ｂで釣銭準備金の出金処理を行い、東京にある第一現金処理機１ａで、ＩＣチップ６０ｉに記憶された出金者特定情報と、当該出金者特定情報に関連付けられた釣銭準備金の金額情報を特定して入金処理を行うこともできる。
【００４４】
第２の実施の形態
次に、図５により、本発明の第２の実施の形態について説明する。図５に示す第２の実施の形態は、ＩＣカード６０のＩＣチップ６０ｉが記憶部を構成する代わりに、バーコード情報が印字された紙媒体６１が記憶部を構成するものである。本実施の形態では、第一現金処理機１ａが、出金者特定情報と釣銭準備金の金額情報を示すバーコード情報を紙媒体６１に印刷する第一バーコード印刷部３３ａと、紙媒体６１のバーコード情報から、出金者特定情報と釣銭準備金の金額情報を読み出す第一バーコード読取部３２ａとを有している。また、同様に、第二現金処理機１ｂが、出金者特定情報と釣銭準備金の金額情報を示すバーコード情報を紙媒体６１に印刷する第二バーコード印刷部３３ｂと、紙媒体６１のバーコード情報から、出金者特定情報と釣銭準備金の金額情報を読み出す第二バーコード読取部３２ｂとを有している。その他の構成は、図１乃至図４に示す第１の実施の形態と略同一である。
【００４５】
図５に示す第２の実施の形態において、図１乃至図４に示す第１の実施の形態と同一部分には同一符号を付して詳細な説明は省略する。
【００４６】
本実施の形態でも、第１の実施の形態と同様の作用効果を奏することができる。このため、第１の実施の形態と重複する部分は省略しつつ、本実施の形態による作用効果を簡単に説明する。
【００４７】
まず、販売員が、第一硬貨処理装置１０ａから金種別に所定の枚数の硬貨を出金するとともに、第一紙幣処理装置２０ａから金種別に所定の枚数の紙幣を出金することで、釣銭準備金を準備する（図５参照）。このように硬貨と紙幣を出金するときには、第一出金者釣銭準備金特定部４０ａから第一硬貨処理装置１０ａに出金される硬貨の金種別の枚数に関する情報が送信され、同様に、第一出金者釣銭準備金特定部４０ａから第一紙幣処理装置２０ａに出金される紙幣の金種別の枚数に関する情報が送信される。そして、第一硬貨処理装置１０ａから第一出金者釣銭準備金特定部４０ａに実際に硬貨が出金された旨が送信され、同様に、第一紙幣処理装置２０ａから第一出金者釣銭準備金特定部４０ａに実際に紙幣が出金された旨が送信される（図３の（１）ａ１参照）。また、販売員は、第一入力部３９ａで、第一現金処理機１ａで自己を識別する出金者特定情報を入力する（カードリーダなどに社員証をかざすことで出金者特定情報を入力する態様でもよい）。なお、図５の符号３９ｂは、第二入力部を示している。
【００４８】
次に、第一出金者釣銭準備金特定部４０ａが、入力された出金者特定情報と出金された釣銭準備金の金額情報とを、第一バーコード印刷部３３ａへ送る（図５および図３の書込読出部３１ａをバーコード印刷部３３ａに置き換えて、図３の（２）ａ２参照）。そして、第一バーコード印刷部３３ａが、出金処理を行った者を特定する出金者特定情報と、この出金者特定情報に関連付けられた釣銭準備金の金額情報とを特定するバーコード情報を紙媒体６１に書き込んで印刷する。
【００４９】
次に、販売員は、乗車予定の新幹線９０に乗り込み、当該新幹線９０内で商品を販売する（図５参照）。そして、販売員は、商品が売れるごとに、携帯端末５５を用いて、売れた販売商品を登録するとともに、販売商品に対応する価格を特定する。
【００５０】
そして、降車予定地に到着すると、販売員は新幹線９０から降車し、第二現金処理機１ｂの下へ向かう。そして、販売員は、第二現金処理機１ｂ内に、売上金と釣銭準備金とからなる全ての貨幣を入金する（図５参照）。
【００５１】
このとき、第二バーコード読取部３２ｂによって、紙媒体６１に書き込まれて記憶された出金者特定情報と金額情報が読み出されて、第二出金者釣銭準備金特定部４０ｂに送信される（図５および図４の書込読出部３１ｂをバーコード読取部３２ｂに置き換えて、図４の（１）ｂ１参照）。そして、第二出金者釣銭準備金特定部４０ｂは、出金者特定情報と、当該出金者特定情報に関連付けられた釣銭準備金の金額情報を特定し、第二算出部４１ｂへ送信する（図４の（２）ｂ２参照）。
【００５２】
また、第二硬貨処理装置１０ｂから第二算出部４１ｂへ入金された硬貨の金種別の枚数に関する情報が送信され、同様に、第二紙幣処理装置２０ｂから第二算出部４１ｂへ入金された紙幣の金種別の枚数に関する情報が送信される（図４の（３）ｂ３参照）。
【００５３】
次に、第二算出部４１ｂが、入金された貨幣の合計金額Ｘから、第二出金者釣銭準備金特定部４０ｂで特定された第一現金処理機１ａから出金された釣銭準備金の金額Ｙを引くことによって仮売上金の金額（Ｘ−Ｙ）を算出する。他方、第二売上金特定部４５ｂが、携帯端末５５から販売商品の価格に関する情報を受け取り（図４の（４）ｂ４参照）、売上金の合計金額Ｚを特定する。その後、第二照合部４９ｂが、第二売上金特定部４５ｂから売上金の合計金額Ｚを受け取るとともに（図４の（５）ｂ５参照）、第二算出部４１ｂから仮売上金の金額（Ｘ−Ｙ）を受け取り（図４の（６）ｂ６参照）、売上金の合計金額Ｚと仮売上金の金額（Ｘ−Ｙ）とを照合する。
【００５４】
ここで、第二売上金特定部４５ｂで特定された売上金の合計金額Ｚと第二算出部４１ｂで算出された仮売上金の金額（Ｘ−Ｙ）が等しくなっている（Ｘ−Ｙ＝Ｚとなっている）場合には、第二現金処理機１ｂでの処理が終了する。他方、第二売上金特定部４５ｂで特定された売上金の合計金額Ｚと第二算出部４１ｂで算出された仮売上金の金額（Ｘ−Ｙ）が等しくなっていない（Ｘ−Ｙ≠Ｚとなっている）場合には、その旨が第二表示部３６ｂに送られ（図４の（７）ｂ７参照）、当該第二表示部３６ｂでその旨が表示される。
【００５５】
本実施の形態によっても、出金者特定情報に関連付けて釣銭準備金の金額情報を特定することができるので、出金者毎の売り上げを確実に管理することができ、かつ、不正を抑止することができる。
【００５６】
また、バーコード情報が印刷された紙媒体６１を第二バーコード読取部３２ｂで読み取らせるだけで、釣銭準備金の金額情報が特定されるので、売上金と釣銭準備金とからなる全ての貨幣を入金するだけで、到着地の拠点で手間をかけることなく出発地の拠点で出金された釣銭準備金を正確に入力させることができる。
【００５７】
さらに、第二照合部４９ｂが、第二売上金特定部４５ｂで特定された売上金の合計金額Ｚと第二算出部４１ｂで算出された仮売上金の金額（Ｘ−Ｙ）とを照合するので、正確な売上金を第二現金処理機１ｂに入金させることができ、販売員のミスや不正によって、実際の売上金の金額と、売上金として入金される金額とが相違することを防止することができる。
【００５８】
なお、本実施の形態でも、第二現金処理機１ｂが、上述した第一現金処理機１ａと同じ機能を果たし、かつ、第一現金処理機１ａが、上述した第二現金処理機１ｂと同じ機能を果たすことができる。
【００５９】
第３の実施の形態
次に、図６乃至図８により、本発明の第３の実施の形態について説明する。図６乃至図８に示す第３の実施の形態は、第一現金処理機１ａから出金者特定情報と金額情報を受信するとともに、第二現金処理機１ｂに第一現金処理機１ａから受信した出金者特定情報と金額情報を送信するサーバ５０をさらに備えたものである。そして、ＩＣカード６０のＩＣチップ６０ｉが記憶部を構成する代わりに、サーバ５０が記憶部を構成するものである。なお、第一現金処理機１ａは、サーバ５０へ情報を送信したり、サーバ５０から情報を受信したりする第一送受信部３５ａを有している。また、第二現金処理機１ｂは、サーバ５０から情報を受信したり、サーバ５０へ情報を送信したりする第二送受信部３５ｂを有している。
【００６０】
また、第一現金処理機１ａは、出金者特定情報毎に第一現金処理機１ａから出金された釣銭準備金と同額以上の金額が第二現金処理機１ｂに入金されたかを確認する第一入金確認部４２ａを有している。そして、当該第一入金確認部４２ａが釣銭準備金と同額以上の金額が第二現金処理機１ｂに入金されたことを確認したときにだけ、第一現金処理機１ａは当該出金者特定情報に対応する出金者に対して釣銭準備金が出金可能とするように構成されている。
【００６１】
他方、第二現金処理機１ｂも、同様に、出金者特定情報毎に第二現金処理機１ｂから出金された釣銭準備金と同額以上の金額が第一現金処理機１ａに入金されたかを確認する第二入金確認部４２ｂを有している。そして、当該第二入金確認部４２ｂが釣銭準備金と同額以上の金額が第一現金処理機１ａに入金されたことを確認したときにだけ、第二現金処理機１ｂが当該出金者特定情報に対応する出金者に対して釣銭準備金が出金可能とするように構成されている。
【００６２】
その他の構成は、図１乃至図４に示す第１の実施の形態と略同一である。図６乃至図８に示す第３の実施の形態において、図１乃至図４に示す第１の実施の形態と同一部分には同一符号を付して詳細な説明は省略する。
【００６３】
本実施の形態でも、第１の実施の形態と同様の作用効果を奏することができる。このため、第１の実施の形態と重複する部分は省略しつつ、本実施の形態による作用効果を簡単に説明する。
【００６４】
まず、販売員が、第一入力部３９ａで、第一現金処理機１ａで自己を識別する出金者特定情報を入力する（カードリーダなどに社員証をかざすことで出金者特定情報を入力する態様でもよい）。
【００６５】
ここで、第一現金処理機１ａの第一入金確認部４２ａは、第一送受信部３５ａを介してサーバ５０に問い合わせて、前回、第一現金処理機１ａから出金された釣銭準備金が、第二現金処理機１ｂに入金されたか（より具体的には、前回出金された釣銭準備金と同額以上の金額が第二現金処理機１ｂに入金されたか）を確認する（図７の（１）ｃ１および（２）ｃ２参照）。そして、第一入金確認部４２ａが第一現金処理機１ａから前回出金された釣銭準備金が第二現金処理機１ｂに入金されたことを確認したときにだけ、第一現金処理機１ａおよび第二現金処理機１ｂは当該出金者特定情報に対応する出金者に対して釣銭準備金を出金できるようにする。
【００６６】
このため、前回出金された釣銭準備金が第二現金処理機１ｂに未だ入金されていない状態で、第一現金処理機１ａから再度、釣銭準備金が出金されることを防止することができる。また、第二現金処理機１ｂから不正に釣銭準備金が出金されることを防止することができる。
【００６７】
上記において第一入金確認部４２ａによって第一現金処理機１ａから前回出金された釣銭準備金が第二現金処理機１ｂに入金されたことが確認されると、第一硬貨処理装置１０ａから金種別に所定の枚数の硬貨が出金されるとともに、第一紙幣処理装置２０ａから金種別に所定の枚数の紙幣が出金される（図６参照）。
【００６８】
次に、第一出金者釣銭準備金特定部４０ａから第一硬貨処理装置１０ａに出金される硬貨の金種別の枚数に関する情報が送信され、同様に、第一出金者釣銭準備金特定部４０ａから第一紙幣処理装置２０ａに出金される紙幣の金種別の枚数に関する情報が送信される。そして、第一硬貨処理装置１０ａから第一出金者釣銭準備金特定部４０ａに実際に硬貨が出金された旨が送信され、同様に、第一紙幣処理装置２０ａから第一出金者釣銭準備金特定部４０ａに実際に紙幣が出金された旨が送信される（図７の（３）ｃ３参照）。
【００６９】
次に、第一出金者釣銭準備金特定部４０ａが、入力された出金者特定情報と出金された釣銭準備金の金額情報とを、第一送受信部３５ａへ送る（図７の（４）ｃ４参照）。そして、第一送受信部３５ａが、出金処理を行った者を特定する出金者特定情報と、この出金者特定情報に関連付けられた釣銭準備金の金額情報とを、サーバ５０に送信する（図７の（５）ｃ５参照）。
【００７０】
次に、販売員は、乗車予定の新幹線９０に乗り込み、当該新幹線９０内で商品を販売する（図６参照）。そして、販売員は、商品が売れるごとに、携帯端末５５を用いて、売れた販売商品を登録するとともに、販売商品に対応する価格を特定する。
【００７１】
そして、降車予定地に到着すると、販売員は新幹線９０から降車し、第二現金処理機１ｂの下へ向かう。そして、販売員は、第二現金処理機１ｂ内に、売上金と釣銭準備金とからなる全ての貨幣を入金する（図６参照）。
【００７２】
このとき、販売員は、第二入力部３９ｂで、第二現金処理装置で自己を識別する出金者特定情報を入力する（カードリーダなどに社員証をかざすことで出金者特定情報を入力する態様でもよい）。このように出金者特定情報が入力されると、第二送受信部３５ｂは、出金者特定情報に基づいて、サーバ５０から、当該出金者特定情報に関連付けられた釣銭準備金の金額情報を読み出して（図７の（１）ｄ１参照）、第二出金者釣銭準備金特定部４０ｂに送信する（図７の（２）ｄ２参照）。そして、第二出金者釣銭準備金特定部４０ｂは、釣銭準備金の金額情報を特定し、第二算出部４１ｂへ送信する（図７の（３）ｄ３参照）。
【００７３】
また、第二硬貨処理装置１０ｂから第二算出部４１ｂへ入金された硬貨の金種別の枚数に関する情報が送信され、同様に、第二紙幣処理装置２０ｂから第二算出部４１ｂへ入金された紙幣の金種別の枚数に関する情報が送信される（図７の（４）ｄ４参照）。
【００７４】
次に、第二算出部４１ｂが、入金された貨幣の合計金額Ｘから、第二出金者釣銭準備金特定部４０ｂで特定された第一現金処理機１ａから出金された釣銭準備金の金額Ｙを引くことによって仮売上金の金額（Ｘ−Ｙ）を算出する。他方、第二売上金特定部４５ｂが、携帯端末５５から販売商品の価格に関する情報を受け取り（図７の（５）ｄ５参照）、売上金の合計金額Ｚを特定する。その後、第二照合部４９ｂが、第二売上金特定部４５ｂから売上金の合計金額Ｚを受け取るとともに（図７の（６）ｄ６参照）、第二算出部４１ｂから仮売上金の金額（Ｘ−Ｙ）を受け取り（図７の（７）ｄ７参照）、売上金の合計金額Ｚと仮売上金の金額（Ｘ−Ｙ）とを照合する。
【００７５】
ここで、第二売上金特定部４５ｂで特定された売上金の合計金額Ｚと第二算出部４１ｂで算出された仮売上金の金額（Ｘ−Ｙ）が等しくなっている（Ｘ−Ｙ＝Ｚとなっている）場合には、第二現金処理機１ｂでの処理が終了する。他方、第二売上金特定部４５ｂで特定された売上金の合計金額Ｚと第二算出部４１ｂで算出された仮売上金の金額（Ｘ−Ｙ）が等しくなっていない（Ｘ−Ｙ≠Ｚとなっている）場合には、その旨が第二表示部３６ｂに送られ（図７の（８）ｄ８参照）、当該第二表示部３６ｂでその旨が表示される。
【００７６】
なお、このように、第二現金処理機１ｂに第一現金処理機１ａで出金された釣銭準備金と同額以上の金額が入金されると、第二現金処理機１ｂの第二送受信部３５ｂは、その旨をサーバ５０に送る。この結果、次回、第一現金処理機１ａから釣銭準備金を出金する際に、第一現金処理機１ａの第一入金確認部４２ａで釣銭準備金と同額以上の金額が第二現金処理機１ｂに入金されたことが確認されることとなり、第二現金処理機１ｂに入金した販売員は、第一現金処理機１ａから釣銭準備金を出金することができるようになる。この時、第二現金処理機１ｂの第二入金確認部４２ｂでの確認では、第二現金処理機１ｂから釣銭準備金が出金されていないので、第二現金処理機１ｂからも釣銭準備金を出金することができる。また、第二現金処理機１ｂから釣銭準備金が出金されていた場合でも、第二現金処理機１ｂの第二入金確認部４２ｂでは、第一現金処理機１ａの第一入金確認部４２ａと同様に確認でき、第二現金処理機１ｂからも釣銭準備金を出金することができる。
【００７７】
本実施の形態によっても、出金者特定情報に関連付けて釣銭準備金の金額情報を特定することができるので、出金者毎の売り上げを確実に管理することができ、かつ、不正を抑止することができる。
【００７８】
また、第二入力部３９ｂで出金者特定情報を入力するだけで、当該出金者特定情報に関連付けられた釣銭準備金の金額情報が特定されるので、売上金と釣銭準備金とからなる全ての貨幣を入金するだけで、到着地の拠点で手間をかけることなく出発地の拠点で出金された釣銭準備金を正確に入力させることができる。
【００７９】
また、第二照合部４９ｂが、第二売上金特定部４５ｂで特定された売上金の合計金額Ｚと第二算出部４１ｂで算出された仮売上金の金額（Ｘ−Ｙ）とを照合するので、正確な売上金を第二現金処理機１ｂに入金させることができ、販売員のミスや不正によって、実際の売上金の金額と、売上金として入金される金額とが相違することを防止することができる。
【００８０】
さらに、サーバ５０に、出金者特定情報と、当該出金者特定情報に関連付けられた釣銭準備金の金額情報が記憶されるので、出金した金額を記載したレシートなどの紙媒体を携帯して管理する必要がなく、便利である。
【００８１】
なお、本実施の形態でも、第二現金処理機１ｂが、上述した第一現金処理機１ａと同じ機能を果たし、かつ、第一現金処理機１ａが、上述した第二現金処理機１ｂと同じ機能を果たすことができる。
【図面の簡単な説明】
【００８２】
【図１】本発明の第１の実施の形態による売上精算システムの構成を示す概略図。
【図２】本発明の第１の実施の形態による売上精算システムのターミナルの構成を示す概略図。
【図３】本発明の第１の実施の形態による売上精算システムの第一現金処理機による精算方法を説明するための概略図。
【図４】本発明の第１の実施の形態による売上精算システムの第二現金処理機による精算方法を説明するための概略図。
【図５】本発明の第２の実施の形態による売上精算システムの構成を示す概略図。
【図６】本発明の第３の実施の形態による売上精算システムの構成を示す概略図。
【図７】本発明の第３の実施の形態による売上精算システムの第一現金処理機による精算方法を説明するための概略図。
【図８】本発明の第３の実施の形態による売上精算システムの第二現金処理機による精算方法を説明するための概略図。
【符号の説明】
【００８３】
１ａ      第一現金処理機
１ｂ      第二現金処理機
１０ａ    第一硬貨処理装置
１０ｂ    第二硬貨処理装置
２０ａ    第一紙幣処理装置
２０ｂ    第二紙幣処理装置
３１ａ    第一書込読出部（書込部および読出部）
３１ｂ    第二書込読出部（書込部および読出部）
３３ａ    第一バーコード印刷部
３３ｂ    第二バーコード印刷部
３２ａ    第一バーコード読取部
３２ｂ    第二バーコード読取部
３６ａ    第一表示部
３６ｂ    第二表示部
４１ａ    第一算出部
４１ｂ    第二算出部
４２ａ    第一入金確認部
４２ｂ    第二入金確認部
４５ａ    第一売上金特定部
４５ｂ    第二売上金特定部
４９ａ    第一照合部
４９ｂ    第二照合部
５０      サーバ（記憶部）
５５      携帯端末
６０      ＩＣカード
６０ｉ    ＩＣチップ（記憶部）
６１      紙媒体（記憶部）
【図１】
2010160625.tif 000003
【図２】
2010160625.tif 000004
【図３】
2010160625.tif 000005
【図４】
2010160625.tif 000006
【図５】
2010160625.tif 000007
【図６】
2010160625.tif 000008
【図７】
2010160625.tif 000009
【図８】
2010160625.tif 000010